(57)【特許請求の範囲】
【請求項１】
空気中の塵埃を帯電させるための放電部と、この放電部によって帯電された塵埃を吸着するための集塵部とを備えた電気集塵機において、
少なくとも前記集塵部を含む、水洗い可能な着脱部と、
この着脱部が着脱自在に取り付けられる本体と、
この本体に内蔵され、前記集塵部に対して通風を行うための送風ファンと、
前記本体に対する前記着脱部の取り外し後の装着を検出する検出手段と、
この検出手段による前記着脱部の取り外し後の装着の検出からの経過時間を計測する計時手段と、
この計時手段の計測した前記経過時間が所定時間を超えるまで、前記電気集塵機への通電を禁止するとともに、前記送風ファンの運転時には、前記送風ファンの運転停止時に比べて、前記所定時間を相対的に短縮する制御手段と
を更に備えたことを特徴とする電気集塵機。
【請求項２】
前記検出手段は、電源入力の切断後の立ち上げによって、前記本体に対する前記着脱部の取り外し後の装着を間接的に検出することを特徴とする請求項１記載の電気集塵機。
【請求項３】
前記集塵部の清掃を指示する清掃表示を行うための表示部と、
この表示部による清掃表示を終了させるためのリセットスイッチと
を更に備え、
前記検出手段は、前記リセットスイッチの入力によって、前記本体に対する前記着脱部の取り外し後の装着を間接的に検出することを特徴とする請求項１記載の電気集塵機。
【請求項４】
前記検出手段は、前記着脱部が前記本体の所定位置に対して装着状態にあるか取り外し状態にあるかを検知するための装着検知手段を有するとともに、この装着検知手段の検知結果が、前記着脱部の取り外し状態から装着状態へ変化したことによって、前記本体に対する前記着脱部の取り外し後の装着を直接検出することを特徴とする請求項１記載の電気集塵機。
【請求項５】
熱交換器および送風ファンと、
この熱交換器および送風ファンを収納する本体と、
この本体の前面側を覆う開閉可能な吸込グリルと、
この吸込グリルと前記熱交換器との間に設けられ、空気中の塵埃を帯電させるための放電部と、この放電部によって帯電された塵埃を吸着するための集塵部とを有する電気集塵機と
を備えた電気集塵機付き空気調和機において、
少なくとも前記電気集塵機の集塵部を含み、前記本体に対して着脱自在に取付けられた、水洗い可能な着脱部と、
前記本体に対する前記着脱部の取り外し後の装着を検出する検出手段と、
この検出手段による前記着脱部の取り外し後の装着の検出からの経過時間を計測する計時手段と、
この計時手段の計測した前記経過時間が所定時間を超えるまで、前記電気集塵機への通電を禁止するとともに、前記送風ファンの運転時には、前記送風ファンの運転停止時に比べて、前記所定時間を相対的に短縮する制御手段と
を更に備えたことを特徴とする電気集塵機付き空気調和機。
【請求項６】
前記検出手段は、電源入力の切断後の立ち上げによって、前記本体に対する前記着脱部の取り外し後の装着を間接的に検出することを特徴とする請求項５記載の電気集塵機付き空気調和機。
【請求項７】
前記集塵部の清掃を指示する清掃表示を行うための表示部と、
この表示部による清掃表示を終了させるためのリセットスイッチと
を更に備え、
前記検出手段は、前記リセットスイッチの入力によって、前記本体に対する前記着脱部の取り外し後の装着を間接的に検出することを特徴とする請求項５記載の電気集塵機付き空気調和機。
【請求項８】
前記検出手段は、前記着脱部が前記本体の所定位置に対して装着状態にあるか取り外し状態にあるかを検知するための装着検知手段を有するとともに、この装着検知手段の検知結果が、前記着脱部の取り外し状態から装着状態へ変化したことによって、前記本体に対する前記着脱部の取り外し後の装着を直接検出することを特徴とする請求項５記載の電気集塵機付き空気調和機。
【請求項９】
前記検出手段は、前記吸込グリルが開放状態にあるか閉鎖状態にあるかを検知するための開閉検知手段を有し、この開閉検知手段の検知結果が開放状態から閉鎖状態へ変化したことによって、前記本体に対する前記着脱部の取り外し後の装着を間接的に検出することを特徴とする請求項５記載の電気集塵機付き空気調和機。
【発明の詳細な説明】
【０００１】
【発明の属する技術分野】
本発明は、少なくとも集塵部を含む着脱部が水洗い可能となった電気集塵機または電気集塵機付き空気調和機に係り、とりわけ、そのような着脱部の水洗い後の通電開始を規制するための改良に関する。
【０００２】
【従来の技術】
電気集塵機は一般に、空気中の塵埃を帯電させるための放電部と、この放電部によって帯電された塵埃を吸着するための集塵部とを備えている。このような電気集塵機において、集塵部に塵埃が大量に付着すると、次のような問題がある。すなわち、集塵効率が低下する、集塵部の電極間の距離が短縮され放電が生ずるといった問題の他、空気調和機の熱交換器の前面に設けられたものでは、集塵部の通風抵抗の増加によって熱交換効率が低下し、ひいては空気調和機の能力低下を招くという問題もある。
【０００３】
そこで、集塵部を使い捨て式に交換するようにしたものもあるが、維持コスト等の関係から、集塵部を含む着脱部を水洗いして再利用できるようにしたものも開発されている。そして、後者のものは集塵部を定期的に水洗いすることが推奨されている。このため、このような水洗い式の集塵部を備えた電気集塵機または電気集塵機付き空気調和機では、上記放電部における高電圧の印加時間に基づいて、集塵部の洗浄を促す表示を行うものも多い。
【０００４】
【発明が解決しようとする課題】
上述したような電気集塵機または電気集塵機付き空気調和機には、以下のような問題点がある。すなわち、集塵部を含む着脱部を、水洗い後に内部を確実に乾燥させた状態で取り付けるのであれば問題はないが、完全に乾ききっていない状態で取付け、高電圧の通電を行ってしまうと、残った水分が電極間を短絡し、装置の故障を引き起こすおそれがある。
【０００５】
本発明は、このような点を考慮してなされたものであり、水洗い後の着脱部を取り付けた場合に、着脱部が完全に乾いた状態で電気集塵機への通電を行えるような電気集塵機または電気集塵機付き空気調和機を提供することを目的とする。
【０００６】
【課題を解決するための手段】
第１の手段は、空気中の塵埃を帯電させるための放電部と、この放電部によって帯電された塵埃を吸着するための集塵部とを備えた電気集塵機において、少なくとも前記集塵部を含む、水洗い可能な着脱部と、この着脱部が着脱自在に取り付けられる本体と、この本体に内蔵され、前記集塵部に対して通風を行うための送風ファンと、前記本体に対する前記着脱部の取り外し後の装着を検出する検出手段と、この検出手段による前記着脱部の取り外し後の装着の検出からの経過時間を計測する計時手段と、この計時手段の計測した前記経過時間が所定時間を超えるまで、前記電気集塵機への通電を禁止するとともに、前記送風ファンの運転時には、前記送風ファンの運転停止時に比べて、前記所定時間を相対的に短縮する制御手段とを更に備えたことを特徴とするものである。
【０００７】
この第１の手段によれば、検出手段によって、本体に対する着脱部の取り外し後の装着が検出され、この検出手段による検出からの経過時間が計時手段によって計測される。そして、この計時手段によって計測された経過時間が所定時間を超えるまで、電気集塵機への通電が禁止される。従って、上記所定時間を、水洗い後の着脱部の内部が十分に乾くのに要する時間に設定することにより、常に着脱部の内部が十分に乾いた状態で、電気集塵機への通電を開始することができる。
【０００８】
また、送風ファンの運転時には、送風ファンの運転停止時に比べて、着脱部の内部の乾燥がより促進されるが、第１の手段によれば、送風ファンの運転時には、送風ファンの運転停止時に比べて、所定時間が相対的に短縮されるので、着脱部の内部の乾燥に要する時間に見合った通電禁止の制御を行うことができる。
【０００９】
第２の手段は、第１の手段において、前記検出手段は、電源入力の切断後の立ち上げによって、前記本体に対する前記着脱部の取り外し後の装着を間接的に検出するものである。
【００１０】
第３の手段は、第１の手段において、前記集塵部の清掃を指示する清掃表示を行うための表示部と、この表示部による清掃表示を終了させるためのリセットスイッチとを更に備え、前記検出手段は、前記リセットスイッチの入力によって、前記本体に対する前記着脱部の取り外し後の装着を間接的に検出するものである。
【００１１】
この第３の手段によれば、第１の手段において、検出手段は、リセットスイッチの入力によって、着脱部の取り外し後の装着を間接的に検出するが、一般に表示部による清掃表示時には、使用者は着脱部を取り外し、水洗い後に再度装着し、その後リセットスイッチを入力することになるので、表示部やリセットスイッチを利用して、確実に着脱部の取り外し後の装着を検出することができる。
【００１２】
第４の手段は、第１の手段において、前記検出手段は、前記着脱部が前記本体の所定位置に対して装着状態にあるか取り外し状態にあるかを検知するための装着検知手段を有するとともに、この装着検知手段の検知結果が、前記着脱部の取り外し状態から装着状態へ変化したことによって、前記本体に対する前記着脱部の取り外し後の装着を直接検出するものである。
【００１３】
この第４の手段によれば、第１の手段において、検出手段は、装着検知手段による検知結果が、着脱部の取り外し状態から装着状態へ変化したことによって、本体に対する着脱部の取り外し後の装着を直接検出するので、そのような装着を間接的に検出する場合に比べ、より的確に通電禁止の制御を行うことができる。
【００１４】
第５の手段は、熱交換器および送風ファンと、この熱交換器および送風ファンを収納する本体と、この本体の前面側を覆う開閉可能な吸込グリルと、この吸込グリルと前記熱交換器との間に設けられ、空気中の塵埃を帯電させるための放電部と、この放電部によって帯電された塵埃を吸着するための集塵部とを有する電気集塵機とを備えた電気集塵機付き空気調和機において、少なくとも前記電気集塵機の集塵部を含み、前記本体に対して着脱自在に取付けられた、水洗い可能な着脱部と、前記本体に対する前記着脱部の取り外し後の装着を検出する検出手段と、この検出手段による前記着脱部の取り外し後の装着の検出からの経過時間を計測する計時手段と、この計時手段の計測した前記経過時間が所定時間を超えるまで、前記電気集塵機への通電を禁止するとともに、前記送風ファンの運転時には、前記送風ファンの運転停止時に比べて、前記所定時間を相対的に短縮する制御手段とを更に備えたことを特徴とするものである。
【００１５】
この第５の手段によれば、検出手段によって、本体に対する着脱部の取り外し後の装着が検出され、この検出手段による検出からの経過時間が計時手段によって計測される。そして、この計時手段によって計測された経過時間が所定時間を超えるまで、電気集塵機への通電が禁止される。従って、上記所定時間を、水洗い後の着脱部の内部が十分に乾くのに要する時間に設定することにより、常に着脱部の内部が十分に乾いた状態で、電気集塵機への通電を開始することができる。
【００１６】
また、送風ファンの運転時には、送風ファンの運転停止時に比べて、着脱部の内部の乾燥がより促進されるが、第５の手段によれば、送風ファンの運転時には、送風ファンの運転停止時に比べて、所定時間が相対的に短縮されるので、着脱部の内部の乾燥に要する時間に見合った通電禁止の制御を行うことができる。
【００１７】
第６の手段は、第５の手段において、前記検出手段は、電源入力の切断後の立ち上げによって、前記本体に対する前記着脱部の取り外し後の装着を間接的に検出するものである。
【００１８】
第７の手段は、第５の手段において、前記集塵部の清掃を指示する清掃表示を行うための表示部と、この表示部による清掃表示を終了させるためのリセットスイッチとを更に備え、前記検出手段は、前記リセットスイッチの入力によって、前記本体に対する前記着脱部の取り外し後の装着を間接的に検出するものである。
【００１９】
この第７の手段によれば、第５の手段において、検出手段は、リセットスイッチの入力によって、着脱部の取り外し後の装着を間接的に検出するが、一般に表示部による清掃表示時には、使用者は着脱部を取り外し、水洗い後に再度装着し、その後リセットスイッチを入力することになるので、表示部やリセットスイッチを利用して、確実に着脱部の取り外し後の装着を検出することができる。
【００２０】
第８の手段は、第５の手段において、前記検出手段は、前記着脱部が前記本体の所定位置に対して装着状態にあるか取り外し状態にあるかを検知するための装着検知手段を有するとともに、この装着検知手段の検知結果が、前記着脱部の取り外し状態から装着状態へ変化したことによって、前記本体に対する前記着脱部の取り外し後の装着を直接検出するものである。
【００２１】
この第８の手段によれば、第５の手段において、検出手段は、装着検知手段による検知結果が、着脱部の取り外し状態から装着状態へ変化したことによって、本体に対する着脱部の取り外し後の装着を直接検出するので、そのような装着を間接的に検出する場合に比べ、より的確に通電禁止の制御を行うことができる。
【００２２】
第９の手段は、第５の手段において、前記検出手段は、前記吸込グリルが開放状態にあるか閉鎖状態にあるかを検知するための開閉検知手段を有し、この開閉検知手段の検知結果が開放状態から閉鎖状態へ変化したことによって、前記本体に対する前記着脱部の取り外し後の装着を間接的に検出するものである。
【００２３】
この第９の手段によれば、第５の手段において、検出手段は、吸込グリルが開放状態から閉鎖状態へ変化したことを検知することで、着脱部の取り外し後の装着を間接的に検出するが、着脱部の取り外し後の装着には、必ず吸込グリルの開閉作業が伴うので、簡単な構成でありながら確実に着脱部の取り外し後の装着を検出することができる。
【００２４】
【発明の実施の形態】
次に、図面を参照して本発明の実施の形態について説明する。図１乃至図１７は本発明による電気集塵機付き空気調和機の実施の形態を示す図である。
【００２５】
［第１の実施形態］
まず、図１乃至図６により本発明の第１の実施形態について説明する。まず、図１において、電気集塵機付き空気調和機は、圧縮機１５、四方弁１６、室内熱交換器１１ａ〜１１ｃ、膨張弁１７および室外熱交換器１８を冷媒配管で接続してなる冷凍サイクルを備えている。このうち、室内熱交換器１１ａ〜１１ｃ側（図４乃至図６に示す室内機１側）には、電気集塵ユニット（着脱部）７、室内ファン１２およびルーバ１４ａが設けられ、室外熱交換器１８側（室外機側）には、室外ファン１９が設けられている。
【００２６】
また、この空気調和機は、制御回路（制御手段）Ｃを備え、この制御回路Ｃに、検出手段Ｄ、タイマ（計時手段）ＴＭ、積算タイマＴＴ、リモートコントローラＲ、室内ファン制御回路Ｆ１、室温センサＳ、ルーバ制御回路Ｌ、高電圧発生回路Ｈ、インバータ装置Ｉおよび室外ファン制御回路Ｆ２が、それぞれ接続されている。
【００２７】
このうち、検出手段Ｄは、後述するように、室内機１本体に対する電気集塵ユニット７の取り外し後の装着を検出するように構成され、タイマＴＭは、この検出手段Ｄによる上記装着の検出からの経過時間Ｔを計測するように構成されている。
【００２８】
また、上記リモートコントローラＲは、設定温度等の信号を制御回路Ｃへ入力するためのものである。また、上記室内ファン制御回路Ｆ１および室外ファン制御回路Ｆ２は各々、制御回路Ｃからの回転数指令に基づいて室内ファン１２および室外ファン１９の回転数（風量）を制御するように構成され、上記ルーバ制御回路Ｌは、制御回路Ｃからの位置指令に基づいてルーバ１４ａの位置（角度）を制御するように構成されている。さらに、上記室温センサＳは、室温を検出してその検出値の信号を制御回路Ｃに入力するようになっている。
【００２９】
また、上記高電圧発生回路Ｈは、制御回路Ｃからの通電（許可）の指令に応じて、電気集塵ユニット７に対して高電圧の通電を行うように構成されている。そして、上記インバータ装置Ｉは、制御回路Ｃからの運転指令に基づいて、圧縮機の運転周波数を変化させるように構成されている。
【００３０】
次に、図４は、空気調和機の室内機１の前面側１ａにある吸込グリル２を開け、プレフィルタ３を外し、さらに室内機１本体に取り付けられた集塵ユニット保持枠５から電気集塵ユニット（着脱部）７と脱臭フィルタ９を取り外した状態を示す。また、図５及び図６は、空気調和機の室内機１の概略構成を示す断面図である。図５は吸込グリル２が閉められた状態を示し、図６は吸込グリル２が開けられた状態を示す。
【００３１】
図５において、室内機１の内部には、前方上部に電気集塵機１０が設けられ、電気集塵機１０の後方には上記室内熱交換器１１ａ，１１ｂ，１１ｃが配設されており、中央部には上記送風ファン１２が配設されている。室内熱交換器１１ａ，１１ｂの下方には各々ドレーンパン１３，１３ａが配設され、ドレーンパン１３の下方には上記ルーバ１４ａを有する吹出口１４が設けられている。室内機１本体全体は前面パネル３０でおおわれ、この前面パネル３０の上面には上部グリル２ａが設けられている。
【００３２】
送風ファン１２の回転により室内の空気が吸込グリル２と上部グリル２ａを介して室内機１内へ吸引される。吸引された空気は、プレフィルタ３によってまず予備的に大きな塵等が取り除かれ、さらに電気集塵機１０で塵埃が除去されるとともに脱臭フィルタ９によって脱臭され、室内熱交換器１１ａ，１１ｂ，１１ｃで熱交換を受ける。
【００３３】
室内熱交換器１１ａ，１１ｂ，１１ｃの冷媒配管には、上記圧縮機１５によって冷媒が送り込まれている。冷媒は、冷房モードと暖房モードの各モードに応じた流れ方向で冷媒配管内を循環する。室内熱交換器１１ａ，１１ｂ，１１ｃで熱交換された空気は吹出口１４を介して室内へ戻される。室内熱交換器１１ａ，１１ｂ，１１ｃで結露した空気中の水分はドレーンパン１３，１３ａに導かれ、室外へ除去される。
【００３４】
次に、電気集塵機１０について詳細に説明する。電気集塵機１０は、室内機１本体に取り付けられたパネル状の集塵ユニット保持枠５と、集塵ユニット保持枠５に着脱自在に取り付けられる上記電気集塵ユニット（着脱部）７と、上記高電圧発生回路Ｈ（図１参照）とから構成されている。また、図４に示すように、集塵ユニット保持枠５には電気集塵ユニット７の左側に着脱自在に脱臭フィルタ９が装着される。
【００３５】
上記電気集塵ユニット７は、図４に示すように、横長の矩形状の形状を有し、その下部には把手部３４が設けられている。また、図５に示すように、電気集塵ユニット７は、内部に放電部７０及び集塵部７２を収納し、プレフィルタ３を通過した塵埃を電気的に集塵するように構成されている。
【００３６】
具体的には、放電部７０及び集塵部７２は、それぞれ複数の電極を有し、放電部７０の電極は、空気中の塵埃を高電圧で帯電させ、集塵部７２の電極は、放電部７０の電極によって帯電された塵埃を電気的に吸着するように構成されている。また、電気集塵ユニット７は、水洗いによって集塵部７２に付着した塵埃を除去して、再利用できるようになっている。
【００３７】
ここで、図１に示す上記制御回路Ｃは、上記タイマＴＭの計測した経過時間Ｔが所定時間Ｔｓを超えるまで、電気集塵ユニット７への通電を禁止するとともに、送風ファン１２の運転時には、送風ファン１２の運転停止時に比べて、所定時間Ｔｓを相対的に短縮するような制御を行う。
【００３８】
具体的には、制御回路Ｃは、図２のフローチャートに示すような制御を行う。図２において、まずタイマは経過時間をカウントせず、経過時間Ｔ＝０の状態にある（Ａ１）。次に、検出手段が電気集塵ユニット７の装着を直接ないし間接的に検出した場合は（Ａ２）、タイマにより経過時間Ｔの計測が開始される（Ａ３）。一方、検出手段が電気集塵ユニット７の装着を検出しない場合は（Ａ２）、タイマが動作中（すなわち経過時間Ｔ＞０）であるか否かが確認され（Ａ４）、タイマが動作中でない場合は始めのステップ（Ａ１）に戻る。
【００３９】
次に、タイマの計測開始後（Ａ３またはＡ４）、送風ファン１２の運転が確認される（Ａ５）。そして、送風ファン１２が運転停止時の場合は、下記の加算時間がｔ＝ａに設定され（Ａ６）、運転時の場合は、送風ファン１２の風量に応じて（Ａ７）、風量・弱では加算時間ｔ＝３ａ（Ａ８）、風量・中では加算時間ｔ＝４ａ（Ａ９）、風量・強では加算時間ｔ＝６ａ（Ａ１０）にそれぞれ設定される。
【００４０】
そして、タイマの計測する経過時間Ｔに、これらの加算時間ｔのいずれかが加算される（Ａ１１）。すなわち、送風ファン１２の運転中では、その風量が大きくなるほど、上記所定時間Ｔｓが相対的に短縮されるようになっている。
【００４１】
そして、このような経過時間Ｔが所定時間Ｔｓを超えないうちは（Ａ１２）、上記高電圧発生回路Ｈによる電気集塵ユニット７への通電が禁止（電極通電不許可がセット）される（Ａ１３）。一方、経過時間Ｔが所定時間Ｔｓを超えた場合は（Ａ１２）、上記高電圧発生回路Ｈによる電気集塵ユニット７への通電が許可（電極通電許可がセット）され（Ａ１４）、タイマがリセット（Ｔ＝０）される（Ａ１５）。なお、上記所定時間Ｔｓは（上記加算時間を考慮した上で）、水洗い後の電気集塵ユニット７の内部が、電極の短絡を防ぐのに十分な程度まで乾くのに要する時間に設定される。
【００４２】
ここで、上記検出手段は、例えば図３に示すように、電源入力の切断後の立ち上げ（イニシャライズ）有無によって（Ｂ１）、切断後に立ち上げられていない、すなわち連続的に通電されている場合は、電気集塵ユニット７の取り外し後の装着無しと判断し（Ｂ２）、切断後に立ち上げられた場合は装着有りと判断する（Ｂ３）ことによって、電気集塵ユニット７の取り外し後の装着を間接的に検出する。
【００４３】
これは、電源入力の切断後に電気集塵ユニット７の装着が行われた場合、制御回路が作動しないためにセンサ類でその装着の有無を検出することはできないので、電源入力の切断後の立ち上げによって、装着有りと判断させることにしたものである。
【００４４】
次に、このような構成よりなる本実施形態の作用効果について説明する。本実施形態によれば、検出手段によって、室内機１本体から一旦取り外された電気集塵ユニット７の、室内機１本体に対する取り外し後の装着が検出され、この検出手段による検出からの経過時間Ｔがタイマによって計測される。
【００４５】
そして、このタイマによって計測された経過時間Ｔが所定時間Ｔｓを超えるまで、電気集塵ユニット７への通電が禁止される。従って、上記所定時間Ｔｓを、水洗い後の電気集塵ユニット７の内部が十分に乾くのに要する時間に設定することにより、常に電気集塵ユニット７の内部が十分に乾いた状態で、電気集塵ユニット７への通電を開始することができる。このため、電気集塵ユニット７の水洗い後における、電極の短絡を防止して、装置の信頼性を高めることができる。
【００４６】
また、送風ファン１２の運転が停止された状態から、送風ファン１２の運転が行われ、その風量が増加するに従って、電気集塵ユニット７の内部の乾燥がより促進されて行く。従って、送風ファン１２の運転中では、その風量が大きくなるほど、上記所定時間Ｔｓが相対的に短縮されるようにしたので、電気集塵ユニット７の内部の乾燥に要する時間に見合った通電禁止の制御を行うことができる。このため、通電禁止時間が必要以上に長くならずに済む。
【００４７】
［第２の実施形態］
次に、図４及び図７により本発明の第２の実施形態について説明する。本実施形態は、図３に示すような検出方法を採る上記検出手段に代えて、図７に示すような検出方法を採る検出手段を用いた点で上記第１の実施形態と異なり、その他の構成は図１、図２および図４乃至図６に示す上記第１の実施形態と略同様である。
【００４８】
具体的には、まず図４に示すように、室内機１の前面パネル３０の右側下部にリードスイッチ（開閉検知手段）４０が設置されるとともに、これに対応する吸込グリル（吸込口）２の部分に永久磁石４２が取付けられている。そして、リードスイッチ４０は、吸込グリル２が閉鎖状態にある場合は永久磁石４２の近接によって閉（ＯＮ）となり、吸込グリル２が開放状態にある場合は永久磁石４２の離隔によって開（ＯＦＦ）となる。
【００４９】
そして、本実施形態の検出手段は、リードスイッチ４０の開閉で吸込グリル２が開放状態から閉鎖状態へ変化したことを検知することで、電気集塵ユニット７の取り外し後の装着を間接的に検出するように構成されている。
【００５０】
具体的には検出手段は、図７に示すように、リードスイッチ４０が閉（吸込グリル（吸込口）２が閉鎖状態）の場合は（Ｃ１）、電気集塵ユニット７の取り外し後の装着無しと判断する（Ｃ２）。一方、リードスイッチ４０が開（吸込グリル２が開放状態）の場合は（Ｃ１）、再度リードスイッチ４０が閉（吸込グリル２が閉鎖状態）になるまで（Ｃ４）、電気集塵ユニット７の電極への通電が禁止される（Ｃ３）。そして、再度リードスイッチ４０が閉（吸込グリル２が閉鎖状態）になった場合は、電気集塵ユニット７の取り外し後の装着有りと判断する（Ｃ５）。
【００５１】
次に、このような構成よりなる本実施形態の作用効果について説明する。本実施形態によれば、検出手段は、吸込グリル２が開放状態から閉鎖状態へ変化したことを検知することで、電気集塵ユニット７の取り外し後の装着を間接的に検出するが、電気集塵ユニット７の取り外し後の装着には、必ず吸込グリル２の開閉作業が伴うので、簡単な構成でありながら確実に電気集塵ユニット７の取り外し後の装着を検出することができる。また、吸込グリル２の開放中は電気集塵ユニット７への通電が禁止され、安全性も高い。
【００５２】
［第３の実施形態］
次に、図４及び図８により本発明の第３の実施形態について説明する。本実施形態は、図３に示すような検出方法を採る上記検出手段に代えて、図８に示すような検出方法を採る検出手段を用いた点で上記第１の実施形態と異なり、その他の構成は図１、図２および図４乃至図６に示す上記第１の実施形態と略同様である。
【００５３】
具体的には、まず図４に示すように、室内機１の前面パネル３０の右側下部に集塵部７２の清掃（水洗い）を指示する清掃表示を行うための清掃ランプ（表示部）４４と、この清掃ランプ４４による清掃表示（点灯）を終了させるためのリセットスイッチ４６とが設けられている。また、電気集塵機１０における電気集塵ユニット７への通電時間Ｆｔを積算するための積算タイマＴＴ（図１参照）が備えられており、この積算タイマＴＴが積算した通電時間Ｆｔが所定時間Ｆｓ（例えば２００時間）を越えた場合に、清掃ランプ４４が点灯するように構成されている。なお、清掃ランプ４４の点灯中は電気集塵ユニット７への通電が禁止され、リセットスイッチ４６の入力によって通電禁止が解除される。そして、本実施形態の検出手段は、上記リセットスイッチ４６の入力によって、電気集塵ユニット７の取り外し後の装着を間接的に検出するように構成されている。
【００５４】
具体的には、図８に示すように、まず放電部７０の電極７０ａの通電中（Ｄ１）は積算タイマＴＴが作動し（Ｄ２）、通電中でないとき（Ｄ１）は積算タイマＴＴが停止される（Ｄ３）。そして、積算タイマＴＴが積算した通電時間Ｆｔが所定時間Ｆｓを越えた場合は（Ｄ４）、通電が禁止されるとともに（Ｄ５）清掃ランプ４４が点灯される（Ｄ６）。
【００５５】
この清掃ランプ４４の点灯後、リセットスイッチ４６の入力があった場合は（Ｄ７）、清掃ランプ４４が消灯されるとともに（Ｄ９）積算タイマがリセット（Ｆｔ＝０）され（Ｄ１０）、電気集塵ユニット７の取り外し後の装着有りと判断される（Ｄ１１）。一方、清掃ランプ４４の点灯後、リセットスイッチ４６の入力がない場合（Ｄ７）、および通電時間Ｆｔが所定時間Ｆｓを越える前（Ｄ４）は、取り外し後の電気集塵ユニット７の取り外し後の装着無しと判断される（Ｄ８）。
【００５６】
次に、このような構成よりなる本実施形態の作用効果について説明する。本実施形態によれば、検出手段は、清掃ランプ４４の点灯後のリセットスイッチ４６の入力によって、電気集塵ユニット７の取り外し後の装着を間接的に検出するが、一般に清掃ランプ４４の点灯時には、使用者は電気集塵ユニット７を取り外し、水洗い後に再度装着し、その後リセットスイッチ４６を入力することになるので、既存の清掃ランプ４４やリセットスイッチ４６を利用して、確実に電気集塵ユニット７の取り外し後の装着を検出することができる。
【００５７】
［第４の実施形態］
次に、図９乃至図１４により本発明の第４の実施形態について説明する。本実施形態は、電気集塵ユニット７が室内機１本体の上記集塵ユニット保持枠（所定位置）５に対して装着状態にあるか取り外し状態にあるかを検知するための装着検知手段を有するとともに、図３に示すような検出方法を採る上記検出手段に代えて、図９に示すような検出方法を採る検出手段を用いた点で上記第１の実施形態と異なり、その他の構成は図１、図２および図４乃至図６に示す上記第１の実施形態と略同様である。
【００５８】
本実施形態の検出手段は、上記装着検知手段による検知結果が、電気集塵ユニット７の取り外し状態から装着状態へ変化したことによって、室内機１本体に対する電気集塵ユニット７の取り外し後の装着を直接検出するように構成されている。
【００５９】
具体的には、図９に示すように、まず上記装着検知手段の検知結果が電気集塵ユニット７の取り外し状態でない（装着状態である）場合は（Ｅ１）、電気集塵ユニット７の取り外し後の装着無しと判断される（Ｅ２）。一方、装着検知手段の検知結果が電気集塵ユニット７の取り外し状態である場合は（Ｅ１）、装着検知手段の検知結果が装着状態に変化するまで（Ｅ４）、通電が禁止される（Ｅ３）。そして、装着検知手段の検知結果が電気集塵ユニット７の装着状態に変化した場合は（Ｅ４）、電気集塵ユニット７の装着と判断される（Ｅ５）。
【００６０】
ここで、上記装着検知手段としては例えば、図１０に模式的に示すようなフォトカプラ５０，５２が用いられる。この場合、装着状態にある電気集塵ユニット７の一部を挟んで、フォトカプラを構成する、発光ダイオード等の光源５０と、フォトトランジスタ等の光センサ５２とが設けられている。そして、このフォトカプラ５０，５２は、光源５０からの光が上記電気集塵ユニット７の一部によって遮られて光センサに届かないことで、電気集塵ユニット７が装着状態にあることを検知し（図１０（ａ））、光源５０からの光が光センサに届くことで、電気集塵ユニット７が取り外し状態にあることを検知する（図１０（ｂ））ようになっている。
【００６１】
より具体的には、上記フォトカプラ５０，５２は、例えば図１１に示すように、上記集塵ユニット保持枠５の両側に立設された集塵ユニット取付板２０のうち、少なくとも一方集塵ユニット取付板２０に設けられる。
【００６２】
ここで、図１２に示すように、電気集塵ユニット７の両側の側面には、突出した係合部３１と、係合部３１から所定長さだけ上方に位置する案内突起部３２とが設けられている。図１３または図１４に示すように、係合部３１は円筒形状を有し、案内突起部３２は奥側（上側）に円筒形状の円筒部３２ａを有し手前側に板形状の板状部３２ｂを有する。
【００６３】
また、図１１に示すように、上記集塵ユニット取付板２０には、係止部２２と案内部２４とが形成されている。係止部２２には、室内機１の前面側１ａへ向かって開口する開口部２２ａと、室内機１の前面側１ａ（図４又は図５参照）から後面側に向かって開口部２２ａから延びる係止溝部２２ｂが形成されている。
【００６４】
係止溝部２２ｂの上部には、爪２２ｃが設けられ、下部には保持部２２ｄが設けられる。集塵ユニット保持枠５及び集塵ユニット取付板２０はともに合成樹脂製で一体化され、爪２２ｃは、弾性を有し、力を加えた場合、上下方向にわずかに曲がるように形成されている。一方、保持部２２ｄは、ほとんど変形しないように強固に形成されている。そして、電気集塵ユニット７の係合部３１は、図１３に示すように、開口部２２ａから嵌入されて係止溝部２２ｂの上端部において、爪２２ｃと保持部２２ｄにはさまれて保持される。
【００６５】
また、図１１に示すように、案内部２４には、室内機１本体の前面側１ａ（図４又は図５参照）に対して斜め下方に向かって開口し上記開口部２２ａの近傍に位置する開口部２４ａと、開口部２４ａから斜め後部上方に延びる切り溝２４ｂとが形成されている。この切り溝２４ｂの奥端部２４ｃは半円状に形成され、図１３に示すように、案内突起部３２の円筒部３２ａの先端部が隙間なく奥端部２４ｃに当接できるように形成されている。
【００６６】
そして、図１１に示すように、上記フォトカプラ５０，５２を構成する光源５０と光センサ５２とが、上記切り溝２４ｂの一側と他側とに対向して設けられている。この場合、フォトカプラ５０，５２は、図１３に示すように、光源５０からの光が電気集塵ユニット７の案内突起部３２の板状部３２ｂによって遮られて光センサ５２に届かないことで、電気集塵ユニット７が装着状態にあることを検知し、図１４に示すように、光源５０からの光が光センサに届くことで、電気集塵ユニット７が取り外し状態にあることを検知する。
【００６７】
以上、図１０または図１１乃至図１４に示すような透過形のフォトカプラ５０，５２を用いる場合について説明したが、これに限らず、例えば図１５に示すように、電気集塵ユニット７の一部に対して同じ側に光源５０及び光センサ５２を設けるとともに、両者５０，５２間に仕切板５４を配置したもの（反射形）を用いてもよい。この場合は、光源５０からの光が電気集塵ユニット７の一部に反射して光センサ５２に届くことで、電気集塵ユニット７が装着状態にあることを検知し（図１５（ａ））、光源５０からの光が光センサに届かないことで、電気集塵ユニット７が取り外し状態にあることを検知する（図１５（ｂ））ようになっている。
【００６８】
また、以上のようなフォトカプラ５０，５２に代えて、図１６に示すようなマイクロスイッチ（装着検知手段）６０を用いてもよい。このマイクロスイッチ６０は例えば、電気集塵ユニット７の一部によって、接点６２がバネ６６の弾発力に抗して接点６４に接触することで、電気集塵ユニット７が装着状態にあることを検知し（図１６（ａ））、接点６２がバネ６６の弾発力によって接点６４から離れることで、電気集塵ユニット７が取り外し状態にあることを検知する（図１６（ｂ））ようになっている。
【００６９】
具体的には、例えば図１７に示すように、集塵ユニット取付板２０の案内部２４において、その奥端部２４ｃ付近に上記マイクロスイッチ６０が設けられている。そして、このマイクロスイッチ６０が、電気集塵ユニット７の案内突起部３２の円筒部３２ａの接触によって（図１３参照）、電気集塵ユニット７が装着状態にあることを検知するようになっている。
【００７０】
次に、このような構成よりなる本実施形態の作用効果について説明する。本実施形態によれば、検出手段は、装着検知手段５０，５２，６０による検知結果が、電気集塵ユニット７の取り外し状態から装着状態へ変化したことによって、室内機１本体に対する電気集塵ユニット７の取り外し後の装着を直接検出するので、装着を間接的に検出する場合に比べ、より的確に通電禁止の制御を行うことができる。
【００７１】
なお、上記第１乃至第４の各実施形態において、それぞれ検出方法の異なる検出手段を用いる場合について説明したが、これらの異なる検出手段を２以上組み合わせて用いてもよい。この場合は、２以上の検出手段のうちのいずれかが、電気集塵ユニット７の取り外し後の装着を検出した場合に、図２のフローチャートにおいて、装着検出有り（Ａ２）と判断される。
【００７２】
また、このように検出手段を２以上組み合わせて用いる場合は、上記第４の実施形態の検出手段（電気集塵ユニット７の取り外し後の装着を直接検出するもの）をメインの検出手段とし、その補助のための検出手段として他の検出手段を組み合わせることが好ましい。特に、上述したように、電源入力の切断後に電気集塵ユニット７の装着が行われた場合は、制御回路Ｃが作動しないため、上記第４の実施形態の検出手段のようにセンサ類でその装着の有無を検出することはできない。そこで、電源入力の切断後の立ち上げによって装着有りと判断させることのできる上記第１の実施形態の検出手段を組み合わせることが有効となる。
【００７３】
また、以上の実施形態において、室内機１本体から電気集塵ユニット７全体を取り外して水洗いするように構成された場合について説明したが、電気集塵ユニット７のうち集塵部７２のみを取り外して水洗いするように構成してもよい。
【００７４】
以上、電気集塵機付き空気調和機に関する実施形態について説明したが、本発明は、空気調和機に限らず、上記冷凍サイクル等を有しない単体の電気集塵機についても実施可能であることは明らかである。
【００７５】
【発明の効果】
本発明によれば、検出手段によって、本体に対する着脱部の取り外し後の装着が検出され、この検出手段による検出からの経過時間が計時手段によって計測される。そして、この計時手段によって計測された経過時間が所定時間を超えるまで、電気集塵機への通電が禁止される。従って、上記所定時間を、水洗い後の着脱部の内部が十分に乾くのに要する時間に設定することにより、常に着脱部の内部が十分に乾いた状態で、電気集塵機への通電を開始することができる。このため、着脱部の水洗い後における、電極の短絡を防止して、装置の信頼性を高めることができる。
【００７６】
また、送風ファンの運転時には、送風ファンの運転停止時に比べて、着脱部の内部の乾燥がより促進されるが、本発明では、送風ファンの運転時には、送風ファンの運転停止時に比べて、所定時間が相対的に短縮されるので、着脱部の内部の乾燥に要する時間に見合った通電禁止の制御を行うことができる。このため、通電禁止時間が必要以上に長くならずに済む。
【図面の簡単な説明】
【図１】本発明による電気集塵機付き空気調和機の第１の実施形態の概略を示すブロック図。
【図２】図１に示す空気調和機における制御を示すフローチャート。
【図３】図２に示す制御における、装着の間接的な検出方法を示すフローチャート。
【図４】図１の空気調和機において、吸込グリルを開け電気集塵ユニット等を取り外すことを説明するための斜視図。
【図５】図１の空気調和機において、吸込グリルが閉じた状態を示す横断面図。
【図６】図５に示す空気調和機において、吸込グリルが開いた状態を示す図。
【図７】本発明による電気集塵機付き空気調和機の第２の実施形態における、装着の間接的な検出を示すフローチャート。
【図８】本発明による電気集塵機付き空気調和機の第３の実施形態における、装着の間接的な検出を示すフローチャート。
【図９】本発明による電気集塵機付き空気調和機の第４の実施形態における、装着の直接検出を示すフローチャート。
【図１０】図９の空気調和機におけるフォトカプラを示す模式図であって、（ａ）は電気集塵ユニットの装着状態を、（ｂ）は取り外し状態をそれぞれ示す図。
【図１１】図９の空気調和機の集塵ユニット保持枠の集塵ユニット取付板部分を示す斜視図。
【図１２】図９の空気調和機の電気集塵ユニットを示す平面図。
【図１３】図９の空気調和機において、集塵ユニット保持枠と電気集塵ユニットとの関係を集塵ユニット取付板部分における横断面で示す図。
【図１４】電気集塵ユニットが取り外された状態を示す、図１３と同様の図。
【図１５】図９の空気調和機におけるフォトカプラの他の例を示す模式図であって、（ａ）は電気集塵ユニットの装着状態を、（ｂ）は取り外し状態をそれぞれ示す図。
【図１６】図９の空気調和機における装着検知手段の他の例としてのマイクロスイッチを示す模式図であって、（ａ）は電気集塵ユニットの装着状態を、（ｂ）は取り外し状態をそれぞれ示す図。
【図１７】図１６に示すようなマイクロスイッチを採用した場合における、図１１と同様の図。
【符号の説明】
１  室内機
１ａ  室内機の前面側
２  吸込グリル
３  プレフィルタ
５  集塵ユニット保持枠
２０  集塵ユニット取付板
７  電気集塵ユニット（着脱部）
７０  放電部
７２  集塵部
１０  電気集塵機
１２  送風ファン
４０  リードスイッチ（開閉検知手段）
４２  永久磁石
４４  清掃ランプ（表示部）
４６  リセットスイッチ
５０, ５２  フォトカプラ（装着検知手段）
６０  マイクロスイッチ（装着検知手段）
Ｃ  制御回路（制御手段）
Ｄ  検出手段
ＴＭ  タイマ（計時手段）
ＴＴ  積算タイマ
【図１】
0003560453.tif 000002
【図２】
0003560453.tif 000003
【図３】
0003560453.tif 000004
【図４】
0003560453.tif 000005
【図５】
0003560453.tif 000006
【図６】
0003560453.tif 000007
【図７】
0003560453.tif 000008
【図８】
0003560453.tif 000009
【図９】
0003560453.tif 000010
【図１０】
0003560453.tif 000011
【図１１】
0003560453.tif 000012
【図１２】
0003560453.tif 000013
【図１３】
0003560453.tif 000014
【図１４】
0003560453.tif 000015
【図１５】
0003560453.tif 000016
【図１６】
0003560453.tif 000017
【図１７】
0003560453.tif 000018